(57)【要約】  省エネモードで運転しても、設定時刻にて設定温度に到達する。エアコン（１１）は、設定時刻、設定温度、および室内の温度を含む設定情報を、クラウドサーバ（１４）に送信する（Ｔ１３）。エアコン（１１）が省エネモードで運転した場合に設定時刻にて室内の温度が設定温度となるためにエアコン（１１）が運転を開始すべき運転開始時刻を、クラウドサーバ（１４）から受信する（Ｔ１４）。運転開始時刻に省エネモードで運転するようにエアコン（１１）を制御する（Ｔ１６）。
2020045457.tif 000002
【特許請求の範囲】
【請求項１】
通常モードと、コンプレッサの回転数が前記通常モードに比べて制限される省エネモードとを有する空気調和機の制御装置であって、
各種の情報を、通信ネットワークを介してサーバと通信する通信デバイスと、
設定時刻と、該設定時刻に到達すべき設定温度と、前記空気調和機が空気調和を行う室内の温度とを含む設定情報を、前記サーバに送信するように前記通信デバイスを制御する送信制御部と、
前記空気調和機が前記省エネモードで運転した場合に前記設定時刻に前記室内の温度が前記設定温度となるために前記空気調和機が運転を開始すべき運転開始時刻を、前記サーバから受信するように前記通信デバイスを制御する受信制御部と、
前記運転開始時刻に前記省エネモードで運転するように前記空気調和機を制御する運転制御部とを備えることを特徴とする空気調和機の制御装置。
【請求項２】
前記送信制御部は、前記設定時刻から所定時間前の前記室内の温度と、前記設定時刻の前記室内の温度、または、前記設定時刻から所定時間後の前記室内の温度とを前記サーバにさらに送信するように前記通信デバイスを制御することを特徴とする請求項１に記載の空気調和機の制御装置。
【請求項３】
前記送信制御部は、前記運転開始時刻における前記室内の温度と、前記設定時刻の前記室内の温度、または、前記設定時刻から所定時間後の前記室内の温度とを前記サーバにさらに送信するように前記通信デバイスを制御することを特徴とする請求項１または２に記載の空気調和機の制御装置。
【請求項４】
前記設定情報は、前記空気調和機の直近の運転停止時刻をさらに含むことを特徴とする請求項１から３までの何れか１項に記載の空気調和機の制御装置。
【請求項５】
前記送信制御部は、前記空気調和機が前記通常モードで運転を開始してから、前記室内の温度が所定の温度に到達するまでの運転期間と、該運転期間における前記室内の温度の変化を示す温度差情報とを前記サーバにさらに送信するように前記通信デバイスを制御しており、
前記受信制御部は、前記省エネモードにおける前記コンプレッサの最大回転数を前記サーバから受信するように前記通信デバイスを制御することを特徴とする請求項１から４までの何れか１項に記載の空気調和機の制御装置。
【請求項６】
前記送信制御部は、前記運転期間における前記空気調和機の送風ファンの回転数を示す情報を前記サーバにさらに送信するように前記通信デバイスを制御することを特徴とする請求項５に記載の空気調和機の制御装置。
【請求項７】
通常モードと、コンプレッサの回転数が前記通常モードに比べて制限される省エネモードとを有する空気調和機と、請求項１から６までの何れか１項に記載の空気調和機の制御装置とを一体に備える空気調和システム。
【請求項８】
請求項１から６までの何れか１項に記載の空気調和機の制御装置としてコンピュータを機能させるための制御プログラムであって、上記各部としてコンピュータを機能させるための制御プログラム。
【請求項９】
通常モードと、コンプレッサの回転数が前記通常モードに比べて制限される省エネモードとを有する空気調和機の制御方法であって、
設定時刻と、該設定時刻に到達すべき設定温度と、前記空気調和機が空気調和を行う室内の温度とを含む設定情報を、サーバに送信するように、各種の情報を通信ネットワークを介してサーバと通信する通信デバイスを制御する送信制御ステップと、
前記空気調和機が前記省エネモードで運転した場合に前記設定時刻に前記室内の温度が前記設定温度となるために前記空気調和機が運転を開始すべき運転開始時刻を、前記サーバから受信するように前記通信デバイスを制御する受信制御ステップと、
前記運転開始時刻に前記省エネモードで運転するように前記空気調和機を制御する運転制御ステップとを含むことを特徴とする空気調和機の制御方法。
【発明の詳細な説明】
【技術分野】
【０００１】
本発明は、空気調和機の制御装置および制御方法、空気調和システム、並びに制御プログラムに関する。
【背景技術】
【０００２】
従来の空気調和機は、設定時刻に到達すると、自動的に運転を開始したり停止したりする、タイムスイッチ機能を有している。また、設定した時刻となる前に運転を開始し、設定時刻に設定温度となるように、該設定時刻の前に運転を開始する、いわゆる「おはようタイマ」の機能を有する空気調和機も存在する。上記「おはようタイマ」では、上記設定時刻、上記設定温度、および室温から運転開始時刻を算出し、算出した運転開始時刻にて運転を開始している。
【先行技術文献】
【特許文献】
【０００３】
【特許文献１】日本国公開特許公報「特開２０１８−０４４７５０号公報」
【発明の概要】
【発明が解決しようとする課題】
【０００４】
一般に、空気調和機の消費電力の大半は、該空気調和機におけるコンプレッサの消費電力である。また、空気調和機は、通常モードの場合、運転開始直後には上記コンプレッサの回転数が高く、消費電力が高い。そして、設定温度に近づくにつれて、上記コンプレッサの回転数が低くなり、消費電力が低くなる。【０００５】
そこで、上記コンプレッサの回転数を制限する省エネモードが考えられる。しかしながら、省エネモードの場合、運転開始から上記設定温度に到達するまでの期間が長くなる。さらに、当該期間は、上記空気調和機の性能と、上記空気調和機が空気調和を行う部屋の広さ、当該部屋を構成する部材の熱容量など、上記空気調和機に対する総合負荷とに影響される。このため、上記「おはようタイマ」において、上記運転開始時刻から上記省エネモードで運転する場合、上記設定時刻に上記設定温度に到達しない可能性がある。【０００６】
この問題点を回避するには、上記空気調和機の制御装置が、上記空気調和機に関する各種の情報を収集して、上記省エネモードでの運転期間と室温の変化量との相関関係を学習することが考えられる。しかしながら、近時、上記空気調和機の多機能化ゆえに多数の処理を行っている上記制御装置において、上記学習をさらに実行することは困難である。【０００７】
本発明は、上記の問題点に鑑みてなされたものであり、その目的は、省エネモードで運転しても、設定時刻にて設定温度に到達できる空気調和機の制御装置等を提供することにある。
【課題を解決するための手段】
【０００８】
上記の課題を解決するために、本発明の一態様に係る空気調和機の制御装置は、通常モードと、コンプレッサの回転数が前記通常モードに比べて制限される省エネモードとを有する空気調和機の制御装置であって、各種の情報を、通信ネットワークを介してサーバと通信する通信デバイスと、設定時刻と、該設定時刻に到達すべき設定温度と、前記空気調和機が空気調和を行う室内の温度とを含む設定情報を、前記サーバに送信するように前記通信デバイスを制御する送信制御部と、前記空気調和機が前記省エネモードで運転した場合に前記設定時刻に前記室内の温度が前記設定温度となるために前記空気調和機が運転を開始すべき運転開始時刻を、前記サーバから受信するように前記通信デバイスを制御する受信制御部と、前記運転開始時刻に前記省エネモードで運転するように前記空気調和機を制御する運転制御部とを備えることを特徴とする。
【発明の効果】
【０００９】
本発明の一態様によれば、省エネモードで運転しても、設定時刻にて設定温度に到達できるという効果を奏する。
【図面の簡単な説明】
【００１０】
【図１】本発明の一実施形態に係るエアコン制御システムの概要を示す図である。
【図２】上記エアコン制御システムにおけるエアコンの概略構成を示すブロック図である。
【図３】上記エアコンにおける制御部および記憶部の概略構成を示すブロック図である。
【図４】上記エアコン制御システムにおけるクラウドサーバの概略構成を示すブロック図である。
【図５】上記エアコン制御システムにおける省エネ入タイマの処理の流れを示すシーケンス図である。
【図６】本発明の別の実施形態に係るエアコン制御システムにおけるクラウドサーバの概略構成を示すブロック図である。
【図７】上記エアコン制御システムにおける省エネ入タイマの処理の流れを示すシーケンス図である。
【図８】本発明のさらに別の実施形態に係るエアコン制御システムにおける省エネ入タイマの処理の流れを示すシーケンス図である。
【図９】上記省エネ入タイマの処理における相関情報更新の処理の流れを示すフローチャートである。
【図１０】本発明のさらに別の実施形態に係るエアコン制御システムにおける省エネ入タイマの処理の流れを示すシーケンス図である。
【図１１】本発明のさらに別の実施形態に係るエアコン制御システムにおけるエアコンの概略構成を示すブロック図である。
【図１２】上記エアコン制御システムにおけるクラウドサーバの概略構成を示すブロック図である。
【図１３】上記エアコン制御システムにおける省エネ入タイマの準備処理の流れを示すシーケンス図である。
【図１４】本発明のさらに別の実施形態に係るエアコン制御システムにおける省エネ入タイマの準備処理の流れを示すシーケンス図である。
【図１５】本発明のさらに別の実施形態に係るエアコン制御システムにおける省エネ入タイマの準備処理の流れを示すシーケンス図である。
【発明を実施するための形態】
【００１１】
以下、本発明の実施形態について、詳細に説明する。なお、説明の便宜上、各実施形態に示した部材と同一の機能を有する部材については、同一の符号を付記し、適宜その説明を省略する。
【００１２】
〔実施形態１〕
まず、本発明の一実施形態について、図１〜図５を参照して説明する。
【００１３】
（エアコン制御システムの概要）
図１は、本実施形態に係るエアコン制御システム１の概要を示す図である。図１に示すように、エアコン制御システム１は、エアコン１１（空気調和機、空気調和システム）と、エアコン１１のリモコン１２（リモートコントローラ）と、無線ＡＰ（アクセスポイント）１３と、クラウドサーバ１４（サーバ）と、携帯端末１５とを備えている。
【００１４】
エアコン１１および無線ＡＰ１３は、ユーザ宅２１に設置されている。エアコン１１は、無線ＡＰ１３および広域通信ネットワーク２２（通信ネットワーク）を介してクラウドサーバ１４と通信可能に接続されている。また、携帯端末１５は、広域通信ネットワーク２２を介してクラウドサーバ１４と通信可能に接続されている。
【００１５】
本実施形態では、広域通信ネットワーク２２としてインターネットを含む構成を例示しているが、電話回線網、移動体通信網、ＣＡＴＶ（CAble TeleVision）通信網、衛星通信網などを利用することもできる。なお、エアコン１１と携帯端末１５とは、何れも無線通信機器であり、広域通信ネットワーク２２を介することなく、無線ＡＰ１３を介して相互に通信することもできる。
【００１６】
本実施形態では、クラウドサーバ１４にて、エアコン１１と携帯端末１５とが対応づけて登録されている。これにより、携帯端末１５は、クラウドサーバ１４を介してエアコン１１を遠隔操作できる。携帯端末１５の例としては、スマートフォン、タブレット端末などが挙げられる。なお、１台の携帯端末１５から複数のエアコン１１を遠隔操作することが可能である。また、複数の携帯端末１５から、１つのエアコン１１を遠隔操作することも可能である。
【００１７】
本実施形態のエアコン１１は、運転のモードとして、通常モードと、コンプレッサ３３ａ（図２参照）の回転数が上記通常モードに比べて制限される省エネモードとを有している。また、本実施形態のエアコン１１は、上述のような公知のタイムスイッチ機能の他に、設定時刻の前に省エネモードで運転を開始し、設定時刻に設定温度に到達する新たなタイマ機能を有している。以下では、このタイマ機能を「省エネ入タイマ機能」と称する。なお、エアコン１１は、冷房機能および暖房機能の一方のみを有してもよいし、両方を有してもよい。
【００１８】
本実施形態のエアコン１１は、エアコン１１に関する各種の情報をクラウドサーバ１４に送信しておくことにより、上記省エネモードでの運転期間と室内の温度の変化量との相関関係などをクラウドサーバ１４に学習させておくことができる。次に、エアコン１１は、上記設定時刻と、該設定時刻に到達すべき上記設定温度と、エアコン１１が空気調和を行う室内の温度とを含む省エネ入タイマ用設定情報を、クラウドサーバ１４に送信する。これにより、クラウドサーバ１４は、上記相関関係を用いて、エアコン１１が上記省エネモードで運転した場合の運転開始時刻を、精度よく決定することができる。そして、エアコン１１は、上記運転開始時刻をクラウドサーバ１４から受信し、受信した上記運転開始時刻に上記省エネモードで運転する。その結果、省エネモードで運転しても、設定時刻にて設定温度に到達することができる。
【００１９】
（エアコンの概要）
図２は、エアコン１１の概略構成を示すブロック図である。図２に示すように、エアコン１１は、制御部３１、記憶部３２、エアコン本体３３、センサ部３４、通信部３５（通信デバイス）、操作パネル３６、リモコン受光部３７、および、音声出力部３８を備えている。
【００２０】
制御部３１は、エアコン１１の各部の動作を制御するものであり、例えば、ＣＰＵ（Central Processing Unit）や専用プロセッサなどの演算処理部などにより構成されるコンピュータ装置から成る。制御部３１は、記憶部３２に記憶されているエアコン１１における各種制御を実施するためのプログラムを読み出して実行することで、エアコン１１の各部の動作を統括的に制御する。なお、制御部３１の詳細については後述する。
【００２１】
記憶部３２は、エアコン１１にて用いられる各種データを記憶するものであり、ＲＡＭ（Random Access Memory）、ＲＯＭ（Read Only Memory）、ＨＤＤ（Hard Disk Drive）などを含む。なお、記憶部３２の詳細については後述する。
【００２２】
エアコン本体３３は、エアコン１１の本来の機能を実行するのに必要な機構を備えるものである。具体的には、エアコン本体３３は、空気を加熱または冷却するためのコンプレッサ３３ａ、加熱または冷却された空気をエアコン１１の外部に送り出す送風ファン３３ｂなどを含む。
【００２３】
センサ部３４は、エアコン１１が空気調和を行うユーザ宅２１の室内の環境をセンシングするものである。具体的には、センサ部３４は、温度を検出する温度センサ３４ａ、湿度を検出する湿度センサ３４ｂなどを含む。なお、これらのセンサは、公知のものを利用できるので、その詳細な説明を省略する。エアコン１１は、上記室内の温度（室温）が設定温度になるように、冷房動作、暖房動作などの空気調和動作を行う。このように、温度センサ３４ａがセンシングする環境は、エアコン１１が空気調和動作を制御するのに必要なものである。
【００２４】
通信部３５は、無線ＡＰ１３および広域通信ネットワーク２２を介してクラウドサーバ１４と相互通信を行うものである。
【００２５】
操作パネル３６は、エアコン１１に対してユーザが指示を入力したり、エアコン１１の状態（例えば、運転モード、室外温度、設定温度等）を通知したりするためのユーザ・インターフェースである。
【００２６】
リモコン受光部３７は、リモコン１２からの赤外線信号を受信して、上記リモコン１２からの指示情報を受け付けるためのものである。
【００２７】
音声出力部３８は、スピーカなどの音声出力装置である。制御部３１は、記憶部３２に記憶された音声データに基づく音声を音声出力部３８から出力する。なお、音声による操作を行うため、マイクなどの音声入力装置をエアコン１１が備えていてもよい。
【００２８】
（エアコンの詳細）
図３は、エアコン１１における制御部３１および記憶部３２の概略構成を示すブロック図である。図３に示すように、制御部３１は、設定取得部４１、室温取得部４２、送信制御部４３、開始時刻取得部４４（受信制御部）、および運転制御部４５を備える。また、記憶部３２は、ユーザ設定記憶部５１、開始時刻記憶部５２、および運転設定記憶部５３を含む。
【００２９】
設定取得部４１は、リモコン１２にてユーザが設定したユーザ設定情報を取得するものである。本実施形態では、設定取得部４１は、上記ユーザ設定情報として、省エネ入タイマ用の設定時刻および設定温度の情報を取得する。設定取得部４１は、取得したユーザ設定情報を送信制御部４３に送出すると共に、ユーザ設定記憶部５１に書き込む。なお、携帯端末１５にてユーザが設定したユーザ設定情報を、クラウドサーバ１４に登録しておくことにより、当該ユーザ設定情報を通信部３５から取得してもよい。
【００３０】
室温取得部４２は、温度センサ３４ａが検知した現在の室温の情報を適宜取得するものである。室温取得部４２は、取得した室温の情報を送信制御部４３および運転制御部４５に送出する。
【００３１】
送信制御部４３は、各種ブロックから取得したエアコン１１に関する情報（以下、「エアコン情報」と称する。）をクラウドサーバ１４に送信するように通信部３５を制御するものである。エアコン情報の例としては、リモコン１２からの設定時刻および設定温度、温度センサ３４ａからの室温情報、湿度センサ３４ｂからの湿度情報、エアコン本体３３の動作状態（運転オン状態・運転オフ状態）、運転モード（通常モード・省エネモード）、および消費電力の値、コンプレッサ３３ａおよび送風ファン３３ｂの回転数、などが挙げられる。
【００３２】
本実施形態では、送信制御部４３は、設定取得部４１からの省エネ入タイマ用の設定時刻および設定温度の情報と、室温取得部４２からの室温の情報とを、省エネ入タイマ用の設定情報としてクラウドサーバ１４に送信するように通信部３５を制御する。
【００３３】
開始時刻取得部４４は、クラウドサーバ１４が決定した省エネ入タイマ用の運転開始時刻情報を通信部３５から取得するものである。開始時刻取得部４４は、取得した運転開始時刻情報を開始時刻記憶部５２に書き込む。
【００３４】
運転制御部４５は、運転設定記憶部５３に記憶された各種運転モード用の運転設定情報に基づいて、エアコン本体３３の運転を制御するものである。例えば、通常モード用の運転設定情報は、ＰＩＤ（Proportional Integral Differential）制御用パラメータなどを含む。また、本実施形態では、省エネモード用の運転設定情報は、コンプレッサ３３ａの最大回転数などを含む。
【００３５】
本実施形態では、運転制御部４５は、開始時刻記憶部５２における運転開始時刻にて、省エネモードで運転するようにエアコン本体３３を制御する。これにより、ユーザ設定記憶部５１における設定時刻にて、ユーザ設定記憶部５１における設定温度に到達することができる。
【００３６】
その後、運転制御部４５は、上記設定時刻にて、通常モードで運転するようにエアコン本体３３を制御する。このように、省エネモードから通常モードに変更しても、室温が既に設定温度に到達しているので、消費電力が急増することを防止できる。
【００３７】
（クラウドサーバの概要）
図４は、クラウドサーバ１４の概略構成を示すブロック図である。クラウドサーバ１４は、エアコン１１を管理するものであり、図３に示すように、制御部６１、記憶部６２、および通信部６３（通信デバイス）を備えている。なお、クラウドサーバ１４の制御部６１、記憶部６２、および通信部６３は、それぞれ、エアコン１１の制御部３１、記憶部３２、および通信部３５と同様のハードウェア構成であるので、その説明を省略する。なお、制御部６１および記憶部６２の詳細については後述する。
【００３８】
（クラウドサーバの詳細）
図４に示すように、クラウドサーバ１４の制御部６１は、エアコン情報取得部７１、相関情報作成部７２、タイマ用情報取得部７３、および開始時刻決定部７４を備える。また、記憶部６２は、エアコン履歴情報記憶部８１および相関情報記憶部８２を含む。
【００３９】
エアコン情報取得部７１は、エアコン１１が送信する上記エアコン情報を通信部６３から収集するものである。エアコン情報取得部７１は、収集したエアコン情報をエアコン履歴情報に追加してエアコン履歴情報記憶部８１に書き込む。
【００４０】
相関情報作成部７２は、エアコン履歴情報記憶部８１からのエアコン履歴情報に基づいて、省エネモードでの運転期間と室温の変化量との相関関係を示す相関情報を作成する。具体的には、相関情報作成部７２は、エアコン履歴情報を用いて公知の回帰分析を行うことにより、上記相関情報を作成することができる。相関情報作成部７２は、作成した相関情報を相関情報記憶部８２に記憶する。
【００４１】
なお、上記相関情報は、相関関係を示すテーブルでもよいし、回帰モデルのパラメータ（例えば一次線形モデルの係数など）でもよい。また、上記エアコン履歴情報が無いまたは少ない場合には、エアコン１１以外の種々のエアコンについて収集されたエアコン履歴情報に基づいて上記相関情報を作成してもよいし、さらに、他のクラウドサーバから収集した天気情報(気温、湿度、日照、風速、天候など)、その他の情報を用いて上記相関情報を作成してもよい。
【００４２】
タイマ用情報取得部７３は、エアコン１１が送信した省エネ入タイマ用の設定情報を、通信部６３から取得するものである。タイマ用情報取得部７３は、取得した省エネ入タイマ用の設定情報を開始時刻決定部７４に送出する。
【００４３】
開始時刻決定部７４は、タイマ用情報取得部７３からの省エネ入タイマ用の設定情報と、相関情報記憶部８２に記憶された相関情報とに基づいて、省エネ入タイマ用の運転開始時刻を決定するものである。具体的には、開始時刻決定部７４は、上記設定情報によって示される室温が経時的に変化することを考慮しつつ、上記相関情報を参照し、上記設定情報における設定時刻および設定温度の情報を用いて、省エネモードで設定時刻に設定温度に到達するための最適な運転開始時刻を決定する。開始時刻決定部７４は、決定した運転開始時刻の情報をエアコン１１に送信するように通信部６３を制御する。
【００４４】
（省エネ入タイマの処理）
図５は、上記構成のエアコン制御システム１における省エネ入タイマの処理（制御方法）の流れを示すシーケンス図である。なお、クラウドサーバ１４では、相関情報が予め作成されて、相関情報記憶部８２に記憶されているとする。
【００４５】
図５に示すように、まず、エアコン１１では、設定取得部４１は、リモコン１２にてユーザが設定した省エネ入タイマ用の設定時刻および設定温度の情報を取得すると共に（Ｔ１１）、室温取得部４２は、温度センサ３４ａが検知した室温の情報を取得する（Ｔ１２）。次に、送信制御部４３は、上記省エネ入タイマ用の設定時刻および設定温度の情報と、上記室温の情報とを、省エネ入タイマ用の設定情報として、通信部３５を介してクラウドサーバ１４に送信する（Ｔ１３、送信制御ステップ）。
【００４６】
一方、クラウドサーバ１４では、タイマ用情報取得部７３が、エアコン１１からの省エネ入タイマ用の設定情報を、通信部６３を介して受信する。次に、開始時刻決定部７４は、上記省エネ入タイマ用の設定情報と、相関情報記憶部８２に記憶された相関情報とに基づいて、省エネ入タイマ用の運転開始時刻を決定する（Ｔ２１）。次に、開始時刻決定部７４は、上記省エネ入タイマ用の運転開始時刻を、通信部６３を介してエアコン１１に送信する（Ｔ２２）。その後、クラウドサーバ１４の上記処理は終了する。
【００４７】
一方、エアコン１１では、開始時刻取得部４４は、クラウドサーバ１４からの省エネ入タイマ用の運転開始時刻情報を、通信部３５を介して受信し、開始時刻記憶部５２に記憶する（Ｔ１４、受信制御ステップ）。次に、運転制御部４５は、開始時刻記憶部５２における運転開始時刻に到達するまで待機し（Ｔ１５）、上記運転開始時刻に到達すると、省エネモードで運転するようにエアコン本体３３を制御する（Ｔ１６、運転制御ステップ）。
【００４８】
その後、運転制御部４５は、ユーザ設定記憶部５１における設定時刻に到達するまで待機し（Ｔ１７）、上記設定時刻に到達すると、通常モードで運転するようにエアコン本体３３を制御する（Ｔ１８）。その後、エアコン１１の上記処理は終了する。
【００４９】
（変形例）
なお、クラウドサーバ１４の開始時刻決定部７４は、運転開始時刻と共に、省エネモード用の運転設定情報の一部（例えば、コンプレッサ３３ａの最大回転数）または全部をエアコン１１に送信するように通信部６３を制御してもよい。この場合、エアコン１１の開始時刻取得部４４は、取得した省エネモード用の運転設定情報を運転設定記憶部５３に書き込めばよい。これにより、省エネモードで運転しても、設定時刻にて設定温度に精度よく到達することができる。
【００５０】
また、本実施形態では、制御部３１は、エアコン１１と一体の構成であるが、別々の装置であってもよい。また、省エネモードにおいて、制御部３１は、コンプレッサ３３ａの回転数を制限しているが、さらに、送風ファン３３ｂの回転数を制限してもよいし、エアコン１１におけるその他の部品の消費電力を制限してもよい。この場合、エアコン１１の消費電力をさらに抑えることができる。
【００５１】
〔実施形態２〕
本発明の別の実施形態について、図６・図７を参照して説明する。本実施形態のエアコン制御システム１のエアコン１１は、図３に示すエアコン１１に比べて、送信制御部４３は、上記設定時刻の所定時間前（例えば５分前）における室温（以下、「設定時刻前室温」と称する。）の情報と、上記設定時刻における室温（以下、「設定時刻室温」と称する。）の情報とをクラウドサーバ１４に送信するように通信部３５を制御する点が異なり、その他の構成は同様である。
【００５２】
図６は、本実施形態に係るエアコン制御システム１におけるクラウドサーバ１４の概略構成を示すブロック図である。本実施形態のクラウドサーバ１４は、図４に示すクラウドサーバ１４に比べて、制御部６１に調整値決定部７５が新たに設けられている点と、記憶部６２に調整値記憶部８３が新たに設けられている点と、開始時刻決定部７４の機能が変更される点とが異なり、その他の構成は同様である。
【００５３】
調整値決定部７５は、上記設定時刻前室温、上記設定時刻室温、および設定温度に基づいて、運転開始時刻の調整値を決定するものである。具体的には、調整値決定部７５は、まず、エアコン１１からの上記設定時刻前室温の情報および上記設定時刻室温の情報を、通信部６３およびエアコン情報取得部７１を介して取得すると共に、タイマ用情報取得部７３から設定温度の情報を取得する。
【００５４】
次に、調整値決定部７５は、上記設定時刻前室温が上記設定温度に未到達であり、かつ、上記設定時刻室温が上記設定温度に未到達である場合、上記運転開始時刻が遅いと判断して、調整値記憶部８３に記憶された調整値を所定値（例えば５）で減算して更新する。一方、調整値決定部７５は、上記設定時刻前室温が上記設定温度に未到達であり、かつ、上記設定時刻室温が上記設定温度に到達である場合、上記運転開始時刻が理想的であると判断して、調整値記憶部８３に記憶された調整値を更新しない。一方、調整値決定部７５は、上記設定時刻前室温が上記設定温度に到達であり、かつ、上記設定時刻室温が上記設定温度に到達である場合、上記運転開始時刻が早いと判断して、調整値記憶部８３に記憶された調整値を所定値（例えば５）で加算して更新する。
【００５５】
開始時刻決定部７４は、上記省エネ入タイマ用の設定情報と上記相関情報とに基づいて決定された省エネ入タイマ用の運転開始時刻を、調整値記憶部８３における調整値に基づいて調整する。開始時刻決定部７４は、調整した運転開始時刻の情報をエアコン１１に送信するように通信部６３を制御する。例えば、上記調整値がマイナスである場合、上記運転開始時刻は早い方に調整されることになる。一方、上記調整値がプラスである場合、上記運転開始時刻は遅い方に調整されることになる。
【００５６】
上記の構成によると、エアコン１１の運転制御部４５は、クラウドサーバ１４によって調整された運転開始時刻から省エネモードで運転することになり、その結果、省エネモードで運転しても、設定時刻にて設定温度に理想的な状態で到達することができる。
【００５７】
図７は、上記構成のエアコン制御システム１における省エネ入タイマの処理の流れを示すシーケンス図である。図７に示す処理は、図５に示す処理に比べて、エアコン１１にて、ステップＴ１７とステップＴ１８との間にステップＴ１９が新たに設けられている点と、クラウドサーバ１４にて、ステップＴ２２に代えてステップＴ２３が設けられ、さらに、ステップＴ２４が新たに設けられている点とが異なり、その他の処理は同様である。
【００５８】
ステップＴ２３では、クラウドサーバ１４の開始時刻決定部７４は、決定した省エネ入タイマ用の運転開始時刻に対し、調整値記憶部８３に記憶された調整値で調整し、調整した省エネ入タイマ用の運転開始時刻を、通信部６３を介してエアコン１１に送信する。
【００５９】
ステップＴ１９では、エアコン１１の送信制御部４３は、上記設定時刻前室温の情報および上記設定時刻室温の情報を、室温取得部４２から取得して、通信部３５を介してクラウドサーバ１４に送信する。
【００６０】
ステップＴ２４では、クラウドサーバ１４の調整値決定部７５は、エアコン１１からの上記設定時刻前室温の情報および上記設定時刻室温の情報と、上記省エネ入タイマ用の設定情報における設定温度とに基づいて、上述のように、調整値を決定し、調整値記憶部８３の調整値を更新する（Ｔ２４）。その後、クラウドサーバ１４の上記処理は終了する。
【００６１】
（変形例）
なお、上記設定時刻における室温の情報を上記設定時刻から所定時間後（例えば５分後）における室温の情報に変更してもよい。この場合でも、本実施形態の効果を奏することができる。
【００６２】
〔実施形態３〕
本発明のさらに別の実施形態について、図８・図９を参照して説明する。本実施形態のエアコン制御システム１のエアコン１１は、図３に示すエアコン１１に比べて、送信制御部４３は、上設定時刻前室温の情報および上記設定時刻室温の情報に加えて、上記運転開始時刻における室温（以下、「運転開始時刻室温」と称する。）の情報をクラウドサーバ１４に送信するように通信部３５を制御する点が異なり、その他の構成は同様である。
【００６３】
また、本実施形態のエアコン制御システム１のクラウドサーバ１４は、図６に示すクラウドサーバ１４に比べて、エアコン情報取得部７１および相関情報作成部７２に新たな機能が設けられる点が異なり、その他の構成は同様である。
【００６４】
エアコン情報取得部７１は、エアコン１１からの上記運転開始時刻および上記運転開始時刻室温の情報と、上記設定時刻および上記設定時刻室温の情報とを１セットとして、エアコン履歴情報記憶部８１に記憶する。
【００６５】
相関情報作成部７２は、所定のタイミング（例えば、上記セットが所定数を超えた場合など）で、上記相関情報を更新する。ところで、調整値記憶部８３の調整値は、更新前の相関情報に基づくものである。そこで、相関情報作成部７２は、上記調整値を初期化する。
【００６６】
上記の構成によると、上記相関関係を更新し続けることができるので、上記設定時刻にて上記設定温度にさらに確実に到達することができる。
【００６７】
図８は、上記構成のエアコン制御システム１における省エネ入タイマの処理の流れを示すシーケンス図である。図８に示す処理は、図７に示す処理に比べて、エアコン１１にて、ステップＴ１６に代えてステップＴ３１が設けられている点と、クラウドサーバ１４にて、ステップＴ２４の前にステップＴ２５が新たに設けられている点と、ステップＴ２５の後にステップＴ２６・Ｔ２７が新たに設けられている点とが異なり、その他の処理は同様である。
【００６８】
ステップＴ３１では、エアコン１１の運転制御部４５は、上記運転開始時刻に到達すると、省エネモードで運転するようにエアコン本体３３を制御すると共に、送信制御部４３は、上記運転開始時刻室温の情報をクラウドサーバ１４に送信する。一方、ステップＴ２５では、クラウドサーバ１４のエアコン情報取得部７１は、エアコン１１からの上記運転開始時刻室温の情報をエアコン履歴情報記憶部８１に記憶する。
【００６９】
ステップＴ２６では、クラウドサーバ１４のエアコン情報取得部７１は、エアコン１１からの上記設定時刻室温の情報をエアコン履歴情報記憶部８１に記憶する。ステップＴ２７では、相関情報作成部７２は、相関情報更新の処理を行う。
【００７０】
図９は、相関情報作成部７２が実行する上記相関情報更新の処理の流れを示すフローチャートである。図９に示すように、まず、相関情報作成部７２は、所定のタイミングに到達したか否かを判断する（Ｓ１１）。所定のタイミングに到達していない場合（Ｓ１１にてＮＯ）、上記相関情報の更新は不要と判断し、上記処理を終了する。
【００７１】
一方、所定のタイミングに到達している場合（Ｓ１１にてＮＯ）、エアコン履歴情報記憶部８１に記憶された、上記運転開始時刻および上記運転開始時刻室温と、上記設定時刻および上記設定時刻室温とを用いて、上記相関情報を更新する（Ｓ１２）。
【００７２】
次に、調整値記憶部８３に記憶された調整値を初期化する（Ｓ１３）。その後、上記処理を終了する。
【００７３】
〔実施形態４〕
本発明のさらに別の実施形態について、図１０を参照して説明する。本実施形態のエアコン制御システム１のエアコン１１は、図３に示すエアコン１１に比べて、送信制御部４３は、上記省エネ入タイマ用の設定情報に直近の運転停止時刻の情報を追加する点が異なり、その他の構成は同様である。
【００７４】
また、本実施形態のエアコン制御システム１のクラウドサーバ１４は、図６に示すクラウドサーバ１４に比べて、開始時刻決定部７４に新たな機能が設けられる点が異なり、その他の構成は同様である。
【００７５】
ところで、エアコン１１の運転停止期間が短いと、室温の設定温度からの変化量が小さいので、エアコン１１の運転を再開してから上記設定温度に到達するまでの期間が短くて済む。反対に、エアコン１１の運転停止期間が長いと、室温の設定温度からの変化量が大きいので、エアコン１１の運転を再開してから上記設定温度に到達するまでの期間が長くなる。
【００７６】
そこで、開始時刻決定部７４は、決定した運転開始時刻と上記直近の運転停止時刻との期間（運転停止期間）が所定時間（例えば２時間）以内である場合、上記運転開始時刻を所定時間（例えば５分）遅くする方に調整する。そして、開始時刻決定部７４は、調整した省エネ入タイマ用の運転開始時刻に対し、調整値記憶部８３に記憶された調整値で調整し、調整した省エネ入タイマ用の運転開始時刻の情報をエアコン１１に送信するように通信部６３を制御する。
【００７７】
上記の構成によると、エアコン１１は、直近の運転停止時刻から運転開始時刻までの期間に基づき調整された運転開始時刻をクラウドサーバ１４から受信することができる。その結果、省エネモードで運転しても、設定時刻にて設定温度にさらに確実に到達することができる。
【００７８】
図１０は、上記構成のエアコン制御システム１における省エネ入タイマの処理の流れを示すシーケンス図である。図１０に示す処理は、図８に示す処理に比べて、エアコン１１にて、ステップＴ１３に代えてステップＴ３２が設けられている点と、クラウドサーバ１４にて、ステップＴ２３に代えてステップＴ２８が設けられている点とが異なり、その他の処理は同様である。
【００７９】
ステップＴ３２では、エアコン１１の送信制御部４３は、上記省エネ入タイマ用の設定時刻および設定温度の情報と、上記室温の情報と、直近の運転停止時刻の情報とを、省エネ入タイマ用の設定情報として、通信部３５を介してクラウドサーバ１４に送信する。
【００８０】
ステップＴ２８では、クラウドサーバ１４の開始時刻決定部７４は、決定した省エネ入タイマ用の運転開始時刻に対し、上記運転停止期間が所定時間以内である場合、上記運転開始時刻を所定時間遅くする方に調整し、さらに、調整値記憶部８３に記憶された調整値で調整し、調整した省エネ入タイマ用の運転開始時刻を、通信部６３を介してエアコン１１に送信する。
【００８１】
〔実施形態５〕
本発明のさらに別の実施形態について、図１１〜図１３を参照して説明する。
【００８２】
上述のように、エアコン１１の運転開始から設定温度に到達するまでの期間は、エアコン１１の性能とエアコン１１に対する総合負荷とに依存する。エアコン１１の性能は、カタログ等によって判明する。一方、上記総合負荷は、部屋に依存するため、通常は不明である。
【００８３】
そこで、本実施形態のエアコン制御システム１では、クラウドサーバ１４は、エアコン１１から受信したエアコン情報に基づいて上記総合負荷を推定し、推定した総合負荷に基づいて、省エネモードにおけるコンプレッサ３３ａの最大回転数を決定して、エアコン１１に送信する。これにより、省エネモードにおけるエアコン１１の性能が総合負荷に応じて変化するので、エアコン１１の運転開始から設定温度に到達するまでの期間に関する総合負荷の影響を抑えることができる。その結果、エアコン１１が上記省エネモードで運転した場合の運転開始時刻を、さらに精度よく決定することができる。
【００８４】
図１１は、本実施形態に係るエアコン制御システム１におけるエアコン１１の概略構成を示すブロック図である。本実施形態のエアコン１１は、図３に示すエアコン１１に比べて、開始時刻取得部４４に代えて運転設定取得部４６（受信制御部）が設けられている点が異なり、その他の構成は同様である。
【００８５】
本実施形態では、送信制御部４３は、エアコン１１が通常モードで運転を開始してから、室温が設定温度（所定の温度）に到達するまでの運転期間と、該運転期間における室温の変化を示す温度差情報とをクラウドサーバ１４に送信するように通信部３５を制御する。なお、通常モードを利用する理由は、通常モードの方が省エネモードよりも室温の温度変化が大きく、このため、上記温度差情報の誤差が小さくなるからである。
【００８６】
運転設定取得部４６は、開始時刻取得部４４としての機能を有すると共に、エアコン１１における各種運転モード用の運転設定情報を通信部３５から取得するものである。運転設定取得部４６は、取得した運転設定情報を運転設定記憶部５３に記憶する。本実施形態では、運転設定取得部４６は、クラウドサーバ１４からの省エネモードにおけるコンプレッサ３３ａの最大回転数を取得して、運転設定記憶部５３に記憶する。
【００８７】
図１２は、本実施形態に係るエアコン制御システム１におけるクラウドサーバ１４の概略構成を示すブロック図である。本実施形態のクラウドサーバ１４は、図６に示すクラウドサーバ１４に比べて、制御部６１に総合負荷推定部７６が新たに設けられている点と、記憶部６２に基準情報記憶部８４が新たに設けられている点とが異なり、その他の構成は同様である。
【００８８】
本実施形態では、エアコン情報取得部７１は、エアコン１１が通常モードで運転した場合における上記運転期間および上記温度差情報を通信部６３から取得して、エアコン履歴情報記憶部８１に記憶する。
【００８９】
基準情報記憶部８４は、エアコン１１に対する総合負荷を判断するための基準情報を記憶している。具体的には、上記基準情報は、基準となる総合負荷（以下、「基準負荷」と称する。）を有する部屋に設置したエアコン１１を通常モードで運転した場合の運転期間と温度変化との対応関係を示す情報である。
【００９０】
総合負荷推定部７６は、エアコン履歴情報記憶部８１からの上記運転期間および上記温度差情報と、基準情報記憶部８４からの基準負荷における上記対応関係とを比較して、エアコン１１が設置された部屋の総合負荷を推定するものである。なお、総合負荷は、畳数などの部屋の寸法で表すことができる。
【００９１】
また、総合負荷推定部７６は、推定した総合負荷に基づいて、省エネモードにおけるコンプレッサ３３ａの最大回転数を決定する。例えば、上記総合負荷が大きい場合、上記最大回転数を増加する。また、上記総合負荷が小さい場合、上記最大回転数を減少する。そして、総合負荷推定部７６は、上記最大回転数をエアコン１１に送信するように通信部６３を制御する。
【００９２】
図１３は、上記構成のエアコン制御システム１における省エネ入タイマの準備処理の流れを示すシーケンス図である。図１３に示す処理は、図５・図７〜図１０に示す省エネ入タイマの処理とは別途行われる。
【００９３】
図１３に示すように、エアコン１１は、ユーザからの操作等により、通常モードで運転を開始する（Ｔ４１）。そして、室温が設定温度に到達すると（Ｔ４２）、送信制御部４３は、上記運転期間および上記温度差情報を、通信部３５を介してクラウドサーバ１４に送信する（Ｔ４３）。
【００９４】
一方、クラウドサーバ１４では、総合負荷推定部７６は、エアコン１１からの上記運転期間および上記温度差情報と、基準情報記憶部８４からの基準負荷における上記対応関係とを比較して、総合負荷を推定する（Ｔ５１）。次に、総合負荷推定部７６は、推定した総合負荷に基づいて、省エネモードにおけるコンプレッサ３３ａの最大回転数を決定し、決定した最大回転数を、通信部６３を介してエアコン１１に送信する（Ｔ５２）。その後、クラウドサーバ１４の上記処理は終了する。
【００９５】
一方、エアコン１１では、運転設定取得部４６は、クラウドサーバ１４からの上記最大回転数を取得して、運転設定記憶部５３に記憶する（Ｔ４４）。その後、エアコン１１の上記処理は終了する。
【００９６】
なお、ステップＴ４４・Ｔ５２は、省エネ入りタイマの処理において上記運転開始時刻をクラウドサーバ１４からエアコン１１に送信する処理（ステップＴ１４、ステップＴ２２・Ｔ２３・Ｔ２８）と共に行われてもよい。
【００９７】
〔実施形態６〕
本発明のさらに別の実施形態について、図１４を参照して説明する。
【００９８】
ところで、エアコン１１の性能は、送風ファン３３ｂの回転数にも依存する。そこで、本実施形態のエアコン制御システム１のエアコン１１は、図１１に示すエアコン１１に比べて、送信制御部４３は、上記運転期間および上記温度差情報に加えて、上記運転期間におけるエアコン１１の送風ファン３３ｂの回転数（以下、「送風回転数」と称する。）を示す情報をクラウドサーバ１４に送信するように通信部３５を制御する点が異なり、その他の構成は同様である。
【００９９】
また、本実施形態のエアコン制御システム１のクラウドサーバ１４は、図１２に示すクラウドサーバ１４に比べて、総合負荷推定部７６は、エアコン履歴情報記憶部８１からの上記送風回転数に基づいて、基準情報記憶部８４からの基準負荷における上記対応関係を補正し、補正した対応関係と、エアコン履歴情報記憶部８１からの上記運転期間および上記温度差情報とを比較して、上記総合負荷を推定する点が異なり、その他の構成は同様である。
【０１００】
上記の構成によると、総合負荷推定部７６は、上記送風回転数に依存しない上記総合負荷を推定することができる。その結果、エアコン１１が上記省エネモードで運転した場合の運転開始時刻を、さらに精度よく決定することができる。
【０１０１】
図１４は、上記構成のエアコン制御システム１における省エネ入タイマの準備処理の流れを示すシーケンス図である。図１４に示す処理は、図１３に示す処理に比べて、エアコン１１にて、ステップＴ４３に代えてステップＴ４５が設けられている点と、クラウドサーバ１４にて、ステップＴ５１に代えてステップＴ５３・Ｔ５４が設けられている点とが異なり、その他の処理は同様である。
【０１０２】
ステップＴ４５では、送信制御部４３は、上記運転期間および上記温度差情報と、上記送風回転数を示す情報とを、通信部３５を介してクラウドサーバ１４に送信する。ステップＴ５３では、総合負荷推定部７６は、エアコン１１からの上記送風回転数に基づき、基準情報記憶部８４からの基準負荷における上記対応関係を補正する。また、ステップＴ５４では、総合負荷推定部７６は、補正した上記対応関係と、エアコン１１からの上記運転期間および上記温度差情報とを比較して、総合負荷を推定する。
【０１０３】
〔実施形態７〕
本発明のさらに別の実施形態について、図１５を参照して説明する。
【０１０４】
本実施形態のエアコン制御システム１は、図１４に示すエアコン制御システム１に比べて、クラウドサーバ１４における基準情報記憶部８４に記憶する情報が異なり、その他は同様である。
【０１０５】
本実施形態では、基準情報記憶部８４は、基準負荷に関する運転期間と温度変化との対応関係を、異なる複数の基準負荷ごとに記憶し、さらに異なる複数の送風回転数ごとに記憶している。
【０１０６】
図１５は、上記構成のエアコン制御システム１における省エネ入タイマの準備処理の流れを示すシーケンス図である。図１５に示す処理は、図１４に示す処理に比べて、クラウドサーバ１４にて、ステップＴ５３・Ｔ５４に代えてステップＴ５５・Ｔ５６が設けられている点が異なり、その他の処理は同様である。
【０１０７】
ステップＴ５５では、総合負荷推定部７６は、エアコン１１からの上記送風回転数に対応する複数の上記対応関係を基準情報記憶部８４から抽出する。ステップＴ５６では、総合負荷推定部７６は、抽出した複数の対応関係のうち、エアコン履歴情報記憶部８１からの上記運転期間および上記温度差情報に対応する対応関係を抽出することにより、総合負荷を推定する。
【０１０８】
従って、総合負荷を迅速に推定でき、その結果、省エネモードにおけるコンプレッサ３３ａの最大回転数を迅速に決定することができる。
【０１０９】
〔ソフトウェアによる実現例〕
エアコン１１およびクラウドサーバ１４の制御ブロック（特に制御部３１および制御部６１）は、集積回路（ＩＣチップ）等に形成された論理回路（ハードウェア）によって実現してもよいし、ソフトウェアによって実現してもよい。
【０１１０】
後者の場合、エアコン１１およびクラウドサーバ１４は、各機能を実現するソフトウェアであるプログラム（制御プログラム）の命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１１１】
〔まとめ〕
本発明の態様１に係る空気調和機の制御装置は、通常モードと、コンプレッサの回転数が前記通常モードに比べて制限される省エネモードとを有する空気調和機の制御装置であって、各種の情報を、通信ネットワークを介してサーバと通信する通信デバイスと、設定時刻と、該設定時刻に到達すべき設定温度と、前記空気調和機が空気調和を行う室内の温度とを含む設定情報を、前記サーバに送信するように前記通信デバイスを制御する送信制御部と、前記空気調和機が前記省エネモードで運転した場合に前記設定時刻に前記室内の温度が前記設定温度となるために前記空気調和機が運転を開始すべき運転開始時刻を、前記サーバから受信するように前記通信デバイスを制御する受信制御部と、前記運転開始時刻に前記省エネモードで運転するように前記空気調和機を制御する運転制御部とを備える構成である。
【０１１２】
上記の構成によると、前記制御装置は、前記空気調和機に関する各種の情報を前記サーバに送信するように前記通信デバイスを制御しておくことにより、前記省エネモードでの運転期間と室温の変化量との相関関係などを前記サーバに学習させておくことができる。次に、前記制御装置は、前記設定時刻、前記設定温度、および前記室温を前記サーバに送信する。これにより、前記サーバは、前記相関関係を用いて、前記空気調和機が前記省エネモードで運転した場合の前記運転開始時刻を、精度よく決定することができる。そして、前記制御装置は、前記運転開始時刻を前記サーバから受信し、受信した前記運転開始時刻に前記省エネモードで運転するように前記空気調和機を制御する。その結果、省エネモードで運転しても、設定時刻にて設定温度に到達することができる。
【０１１３】
ところで、前記設定時刻の前では前記室内の温度が前記設定温度に未到達であり、前記設定時刻において前記室内の温度が前記設定温度に到達することが理想的である。
【０１１４】
そこで、本発明の態様２に係る空気調和機の制御装置は、上記態様１において、前記送信制御部は、前記設定時刻から所定時間前の前記室内の温度と、前記設定時刻の前記室内の温度、または、前記設定時刻から所定時間後の前記室内の温度とを前記サーバにさらに送信するように前記通信デバイスを制御してもよい。この場合、上記理想的な状態となるように、調整された前記運転開始時刻を前記サーバから受信することができる。その結果、省エネモードで運転しても、設定時刻にて設定温度に上記理想的な状態で到達することができる。
【０１１５】
本発明の態様３に係る空気調和機の制御装置は、上記態様１・２において、前記送信制御部は、前記運転開始時刻における前記室内の温度と、前記設定時刻の前記室内の温度、または、前記設定時刻から所定時間後の前記室内の温度とを前記サーバにさらに送信するように前記通信デバイスを制御してもよい。この場合、前記サーバは、前記省エネモードにおける運転期間と室温との相関関係を更新することができる。その結果、省エネモードで運転しても、設定時刻にて設定温度にさらに確実に到達することができる。
【０１１６】
ところで、前記空気調和機の運転停止期間が短いと、前記室温の設定温度からの変化量が小さいので、前記空気調和機の運転を再開してから前記設定温度に到達するまでの期間が短くて済む。反対に、前記空気調和機の運転停止期間が長いと、前記室温の設定温度からの変化量が大きいので、前記空気調和機の運転を再開してから前記設定温度に到達するまでの期間が長くなる。
【０１１７】
そこで、本発明の態様４に係る空気調和機の制御装置は、上記態様１〜３において、前記設定情報は、前記空気調和機の直近の運転停止時刻をさらに含んでもよい。この場合、前記運転停止時刻から前記運転開始時刻までの期間に基づき調整された前記運転開始時刻を前記サーバから受信することができる。その結果、省エネモードで運転しても、設定時刻にて設定温度にさらに確実に到達することができる。
【０１１８】
本発明の態様５に係る空気調和機の制御装置は、上記態様１〜４において、前記送信制御部は、前記空気調和機が前記通常モードで運転を開始してから、前記室内の温度が所定の温度に到達するまでの運転期間と、該運転期間における前記室内の温度の変化を示す温度差情報とを前記サーバにさらに送信するように前記通信デバイスを制御しており、前記受信制御部は、前記省エネモードにおける前記コンプレッサの最大回転数を前記サーバから受信するように前記通信デバイスを制御してもよい。
【０１１９】
この場合、前記サーバは、前記通常モードにおける運転期間および温度差情報に基づき、前記空気調和機が空気調和を行う部屋の総合負荷を推定でき、推定した総合負荷に基づいて、前記省エネモードにおける前記コンプレッサの最大回転数を決定することができる。具体的には、前記サーバは、前記総合負荷が大きい場合、前記最大回転数を増加するように決定する一方、前記総合負荷が小さい場合、前記最大回転数を減少するように決定することができる。これにより、省エネモードにおける前記空気調和機の性能が総合負荷に応じて変化するので、前記空気調和機の運転開始から設定温度に到達するまでの期間に関する総合負荷の影響を抑えることができる。その結果、前記空気調和機が前記省エネモードで運転した場合の運転開始時刻を、さらに精度よく決定することができる。
【０１２０】
本発明の態様６に係る空気調和機の制御装置は、上記態様５において、前記送信制御部は、前記運転期間における前記空気調和機の送風ファンの回転数を示す情報を前記サーバにさらに送信するように前記通信デバイスを制御してもよい。この場合、前記送風ファンの回転数に依存しない前記総合負荷を推定することができる。その結果、前記空気調和機が前記省エネモードで運転した場合の運転開始時刻を、さらに精度よく決定することができる。
【０１２１】
本発明の態様７に係る空気調和システムは、通常モードと、コンプレッサの回転数が前記通常モードに比べて制限される省エネモードとを有する空気調和機と、上記態様１〜６の空気調和機の制御装置とを一体に備える構成である。上記構成の空気調和システムであっても、上記制御装置と同様の効果を奏することができる。
【０１２２】
本発明の態様８に係る空気調和機の制御方法は、通常モードと、コンプレッサの回転数が前記通常モードに比べて制限される省エネモードとを有する空気調和機の制御方法であって、設定時刻と、該設定時刻に到達すべき設定温度と、前記空気調和機が空気調和を行う室内の温度とを含む設定情報を、サーバに送信するように、各種の情報を通信ネットワークを介してサーバと通信する通信デバイスを制御する送信制御ステップと、前記空気調和機が前記省エネモードで運転した場合に前記設定時刻に前記室内の温度が前記設定温度となるために前記空気調和機が運転を開始すべき運転開始時刻を、前記サーバから受信するように前記通信デバイスを制御する受信制御ステップと、前記運転開始時刻に前記省エネモードで運転するように前記空気調和機を制御する運転制御ステップとを含む方法である。
【０１２３】
上記の方法によれば、上記態様１と同様の効果を奏することができる。
【０１２４】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【０１２５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２６】
１  エアコン制御システム
１１  エアコン（空気調和機、空気調和システム）
１２  リモコン
１４  クラウドサーバ（サーバ）
１５  携帯端末
２１  ユーザ宅
２２  広域通信ネットワーク
３１、６１  制御部
３２、６２  記憶部
３３  エアコン本体
３３ａ  コンプレッサ
３３ｂ  送風ファン
３４  センサ部
３４ａ  温度センサ
３４ｂ  湿度センサ
３５、６３  通信部（通信デバイス）
３６  操作パネル
３７  リモコン受光部
３８  音声出力部
４１  設定取得部
４２  室温取得部
４３  送信制御部
４４  開始時刻取得部（受信制御部）
４５  運転制御部
４６  運転設定取得部（受信制御部）
５１  ユーザ設定記憶部
５２  開始時刻記憶部
５３  運転設定記憶部
７１  エアコン情報取得部
７２  相関情報作成部
７３  タイマ用情報取得部
７４  開始時刻決定部
７５  調整値決定部
７６  総合負荷推定部
８１  エアコン履歴情報記憶部
８２  相関情報記憶部
８３  調整値記憶部
８４  基準情報記憶部
【図１】
2020045457.tif 000003
【図２】
2020045457.tif 000004
【図３】
2020045457.tif 000005
【図４】
2020045457.tif 000006
【図５】
2020045457.tif 000007
【図６】
2020045457.tif 000008
【図７】
2020045457.tif 000009
【図８】
2020045457.tif 000010
【図９】
2020045457.tif 000011
【図１０】
2020045457.tif 000012
【図１１】
2020045457.tif 000013
【図１２】
2020045457.tif 000014
【図１３】
2020045457.tif 000015
【図１４】
2020045457.tif 000016
【図１５】
2020045457.tif 000017
【国際調査報告】
2020045457.tif 000018
2020045457.tif 000019
2020045457.tif 000020
2020045457.tif 000021